(57)【要約】【課題】  無線基地局が有するリソースを有効に使用する。【解決手段】  ベースバンド信号処理部４−１〜４−３にかかるベースバンド信号処理の負荷に応じた複数のレベルがそれぞれトラヒック指数としてトラヒック指数テーブル５に格納され、ベースバンド信号処理部４−１〜４−３に付加された識別子とトラヒック指数とが対応付けられて共有テーブル７に格納され、共有テーブル７に格納された内容に基づいて、呼処理監視制御部２によって複数のベースバンド信号処理部４−１〜４−３のうち１つのベースバンド信号処理部にベースバンド信号処理が割り当てられる。【選択図】図１
2007019724.tif 000002
【特許請求の範囲】
【請求項１】
固有の識別情報がそれぞれ付加され、移動通信システムにおけるベースバンド信号処理を行う複数のベースバンド信号処理手段を有する無線基地局であって、
前記複数のベースバンド信号処理手段のそれぞれにかかる前記ベースバンド信号処理の負荷に応じた複数のレベルがそれぞれトラヒック指数として格納されるトラヒック指数格納手段と、
前記識別情報と前記トラヒック指数とが前記複数のベースバンド信号処理手段毎に対応付けられて格納される負荷状態格納手段と、
前記負荷状態格納手段に格納された内容に基づいて、前記複数のベースバンド信号処理手段のうち１つのベースバンド信号処理手段に前記ベースバンド信号処理を割り当てる呼処理監視制御手段とを有する無線基地局。
【請求項２】
請求項１に記載の無線基地局において、
前記呼処理監視制御手段は、前記ベースバンド信号処理手段にかかる前記ベースバンド信号処理の負荷が低いレベルであるトラヒック指数に対応付けられた識別情報が付加されたベースバンド信号処理手段から優先的に前記ベースバンド信号処理を割り当てることを特徴とする無線基地局。
【請求項３】
請求項１または請求項２に記載の無線基地局において、
前記呼処理監視制御手段は、処理過負荷状態を示すトラヒック指数と対応付けられて格納された識別情報が付加されたベースバンド信号処理手段に割り当てられた前記ベースバンド信号処理を、当該ベースバンド信号処理手段以外のベースバンド信号処理手段へ追い出すことを特徴とする無線基地局。
【請求項４】
請求項１乃至３のいずれか１項に記載の無線基地局において、
前記ベースバンド信号処理手段にかかる前記ベースバンド信号処理の負荷は、前記ベースバンド信号処理手段のＣＰＵの使用率であることを特徴とする無線基地局。
【請求項５】
移動通信システムにおける無線基地局にて行われるベースバンド信号処理を、固有の識別情報がそれぞれ付加された複数のベースバンド信号処理手段に割り当てるベースバンド信号処理割り当て方法であって、
前記複数のベースバンド信号処理手段のそれぞれにかかる前記ベースバンド信号処理の負荷に応じた複数のレベルをそれぞれトラヒック指数として格納する処理と、
前記識別情報と前記トラヒック指数とを前記複数のベースバンド信号処理手段毎に対応付けて格納する処理と、
格納された前記識別情報と前記トラヒック指数との対応付けに基づいて、前記複数のベースバンド信号処理手段のうち１つのベースバンド信号処理手段に前記ベースバンド信号処理を割り当てる処理とを有するベースバンド信号処理割り当て方法。
【請求項６】
請求項５に記載のベースバンド信号処理割り当て方法において、
前記ベースバンド信号処理手段にかかる前記ベースバンド信号処理の負荷が低いレベルであるトラヒック指数に対応付けられた識別情報が付加されたベースバンド信号処理手段から優先的に前記ベースバンド信号処理を割り当てる処理を有することを特徴とするベースバンド信号処理割り当て方法。
【請求項７】
請求項５または請求項６に記載のベースバンド信号処理割り当て方法において、
処理過負荷状態を示すトラヒック指数と対応付けられて格納された識別情報が付加されたベースバンド信号処理手段に割り当てられた前記ベースバンド信号処理を、当該ベースバンド信号処理手段以外のベースバンド信号処理手段へ追い出す処理を有することを特徴とするベースバンド信号処理割り当て方法。
【請求項８】
請求項５乃至７のいずれか１項に記載のベースバンド信号処理割り当て方法において、
前記ベースバンド信号処理手段にかかる前記ベースバンド信号処理の負荷は、前記ベースバンド信号処理手段のＣＰＵの使用率であることを特徴とするベースバンド信号処理割り当て方法。
【発明の詳細な説明】
【技術分野】
【０００１】
本発明は、移動通信システムにおける無線基地局及び当該無線基地局内のベースバンド信号処理手段に対してベースバンド信号処理を割り当てるベースバンド信号処理割り当て方法に関する。
【背景技術】
【０００２】
従来より、移動通信システムにおいては、無線基地局内に設けられた複数のベースバンド信号処理手段のそれぞれについて、送受信される信号を処理するための空きリソースがあるかどうかが管理されており、あるベースバンド信号処理が発生した際に、空きリソースのあるベースバンド信号処理手段に当該ベースバンド信号処理が割り当てられ、割り当てられたベースバンド信号処理手段にて当該ベースバンド信号処理が行われている。
【０００３】
また、各ベースバンド信号処理手段にある閾値を設け、ベースバンド信号処理手段にかかるベースバンド信号処理の負荷が、設けられた閾値を超えている場合、そのベースバンド信号処理手段に対しては新たなベースバンド信号処理を割り当てず、ベースバンド信号処理の負荷が閾値を超えていないベースバンド信号処理手段に対して新たなベースバンド信号処理を割り当て、割り当てられたベースバンド信号処理手段にて当該ベースバンド信号処理を行う方法が考えられている（例えば、特許文献１参照。）。
【特許文献１】特開２００４−１２００７０号公報
【発明の開示】
【発明が解決しようとする課題】
【０００４】
しかしながら、上述した方法においては、空きリソースがありさえすれば、その空きリソースが小さな場合であっても、他に空きリソースが大きなベースバンド信号処理手段があるかどうかに関わらず、ベースバンド信号処理が割り当てられてしまうため、割り当てられたベースバンド信号処理手段だけが高負荷状態になってしまい、処理遅延や輻輳による通信断の状態が生じてしまう虞がある。
【０００５】
また、特許文献１に記載された方法においては、閾値を超えない負荷を負っているベースバンド信号処理手段であればすべてベースバンド信号処理が割り当て可能であると認識され、割り当て可能であると認識されたベースバンド信号処理手段の中からベースバンド信号処理を行うベースバンド信号処理手段が任意に割り当てられてしまうため、ベースバンド信号処理の割り当てに偏りが生じてしまい、さらに、閾値を低く設定した場合、負荷が閾値を超えてしまうと、ベースバンド信号処理を割り当てるための空きリソースがあるにもかかわらず、ベースバンド信号処理を割り当てることができなくなってしまい、リソースの余剰が生じてしまうという問題点がある。
【０００６】
本発明は、上述したような従来の技術が有する問題点に鑑みてなされたものであって、無線基地局が有するリソースを有効に使用することができる無線基地局及びベースバンド信号処理割り当て方法を提供することを目的とする。
【課題を解決するための手段】
【０００７】
上記目的を達成するために本発明は、
固有の識別情報がそれぞれ付加され、移動通信システムにおけるベースバンド信号処理を行う複数のベースバンド信号処理手段を有する無線基地局であって、
前記複数のベースバンド信号処理手段のそれぞれにかかる前記ベースバンド信号処理の負荷に応じた複数のレベルがそれぞれトラヒック指数として格納されるトラヒック指数格納手段と、
前記識別情報と前記トラヒック指数とが前記複数のベースバンド信号処理手段毎に対応付けられて格納される負荷状態格納手段と、
前記負荷状態格納手段に格納された内容に基づいて、前記複数のベースバンド信号処理手段のうち１つのベースバンド信号処理手段に前記ベースバンド信号処理を割り当てる呼処理監視制御手段とを有する。
【０００８】
また、前記呼処理監視制御手段は、前記ベースバンド信号処理手段にかかる前記ベースバンド信号処理の負荷が低いレベルであるトラヒック指数に対応付けられた識別情報が付加されたベースバンド信号処理手段から優先的に前記ベースバンド信号処理を割り当てることを特徴とする。
【０００９】
また、前記呼処理監視制御手段は、処理過負荷状態を示すトラヒック指数と対応付けられて格納された識別情報が付加されたベースバンド信号処理手段に割り当てられた前記ベースバンド信号処理を、当該ベースバンド信号処理手段以外のベースバンド信号処理手段へ追い出すことを特徴とする。
【００１０】
また、前記ベースバンド信号処理手段にかかる前記ベースバンド信号処理の負荷は、前記ベースバンド信号処理手段のＣＰＵの使用率であることを特徴とする。
【００１１】
また、移動通信システムにおける無線基地局にて行われるベースバンド信号処理を、固有の識別情報がそれぞれ付加された複数のベースバンド信号処理手段に割り当てるベースバンド信号処理割り当て方法であって、
前記複数のベースバンド信号処理手段のそれぞれにかかる前記ベースバンド信号処理の負荷に応じた複数のレベルをそれぞれトラヒック指数として格納する処理と、
前記識別情報と前記トラヒック指数とを前記複数のベースバンド信号処理手段毎に対応付けて格納する処理と、
格納された前記識別情報と前記トラヒック指数との対応付けに基づいて、前記複数のベースバンド信号処理手段のうち１つのベースバンド信号処理手段に前記ベースバンド信号処理を割り当てる処理とを有する。
【００１２】
また、前記ベースバンド信号処理手段にかかる前記ベースバンド信号処理の負荷が低いレベルであるトラヒック指数に対応付けられた識別情報が付加されたベースバンド信号処理手段から優先的に前記ベースバンド信号処理を割り当てる処理を有することを特徴とする。
【００１３】
また、処理過負荷状態を示すトラヒック指数と対応付けられて格納された識別情報が付加されたベースバンド信号処理手段に割り当てられた前記ベースバンド信号処理を、当該ベースバンド信号処理手段以外のベースバンド信号処理手段へ追い出す処理を有することを特徴とする。
【００１４】
上記のように構成された本発明においては、無線基地局に設けられた複数のベースバンド信号処理手段のそれぞれにかかるベースバンド信号処理の負荷に応じた複数のレベルがそれぞれトラヒック指数としてトラヒック指数格納手段に格納され、また、ベースバンド信号処理手段に付加された識別情報とトラヒック指数とが対応付けられて負荷状態格納手段に格納され、負荷状態格納手段に格納された内容に基づいて、呼処理監視制御手段によって複数のベースバンド信号処理手段のうち１つのベースバンド信号処理手段にベースバンド信号処理が割り当てられる。
【００１５】
これにより、ベースバンド信号処理が無線基地局に設けられた複数のベースバンド信号処理手段に分散されることとなり、ベースバンド信号処理手段に偏りのない割り当てが行われ、ベースバンド信号処理手段のリソースを有効に使用することができる。
【発明の効果】
【００１６】
以上説明したように本発明においては、無線基地局に設けられた複数のベースバンド信号処理手段のそれぞれにかかるベースバンド信号処理の負荷に応じた複数のレベルをそれぞれトラヒック指数としてトラヒック指数格納手段に格納し、また、ベースバンド信号処理手段に付加された識別情報とトラヒック指数とを対応付けて負荷状態格納手段に格納し、負荷状態格納手段に格納された内容に基づいて、複数のベースバンド信号処理手段のうち１つのベースバンド信号処理手段にベースバンド信号処理を割り当てる構成としたため、無線基地局が有するリソースを有効に使用することができる。
【発明を実施するための最良の形態】
【００１７】
以下に、本発明の実施の形態について図面を参照して説明する。
【００１８】
図１は、本発明の無線基地局の実施の一形態を示す図である。
【００１９】
図１に示すように本形態における無線基地局１には、ベースバンド信号処理を行うベースバンド信号処理部４−１〜４−３と、ベースバンド信号処理部４−１〜４−３の負荷状態に応じてベースバンド信号処理の割り当てを行う呼処理監視制御部２と、ベースバンド信号処理部４−１〜４−３の負荷状態を管理する保守監視制御部３と、ベースバンド信号処理部４−１〜４−３の負荷状態に対応したトラヒック指数の定義情報が格納されているトラヒック指数格納手段であるトラヒック指数テーブル５と、保守監視制御部３によってベースバンド信号処理部４−１〜４−３のそれぞれの負荷状態情報をトラヒック指数として格納する負荷状態格納手段である共有テーブル７と、ベースバンド信号処理部４−１〜４−３に空きリソースがあるかどうかを示すデータが格納されているリソース状態格納手段であるリソース管理テーブル６とが設けられている。さらに、ベースバンド信号処理部４−１〜４−３にはそれぞれ、ベースバンド信号を処理する信号処理部４２−１〜４２−３と、ベースバンド信号処理部４−１〜４−３の処理の負荷を計算し、計算された結果に応じたトラヒック指数をトラヒック指数テーブル５から取得して保守監視制御部３へ通知するトラヒック指数計算通知部４１−１〜４１−３とが設けられている。また、呼処理監視制御部２には、共有テーブル７に格納された情報に基づいてベースバンド信号処理部４−１〜４−３の負荷状態を監視する状態監視部２２と、リソース管理テーブル６に格納されたベースバンド信号処理部４−１〜４−３の空きリソースの状態を示すデータと状態監視部２２にて監視されたベースバンド信号処理部４−１〜４−３の負荷状態とからベースバンド信号処理の割り当てを行うリソース管理割り当て部２１とが設けられている。また、保守監視制御部３には、トラヒック指数計算通知部４１−１〜４１−３から通知されたトラヒック指数を共有テーブル７に格納するトラヒック指数監視制御部３１が設けられている。
【００２０】
図２は、図１に示した無線基地局１におけるトラヒック指数テーブル５に格納されたデータの構成を示す図である。
【００２１】
図２に示すようにトラヒック指数テーブル５には、ベースバンド信号処理部４−１〜４−３にかかる負荷の状態に応じたレベルがトラヒック指数として定義されて格納されている。ここに挙げた例では、ベースバンド信号処理部４−１〜４−３のＣＰＵの使用率が７０％未満の場合、トラヒック指数は定常状態である「α」であり、また、ベースバンド信号処理部４−１〜４−３のＣＰＵの使用率が７０％以上１００％未満の場合、トラヒック指数は処理負荷大状態である「β」であり、また、ベースバンド信号処理部４−１〜４−３のＣＰＵの使用率が１００％以上の場合、トラヒック指数は処理過負荷状態である「γ」であると定義されて格納されている。
【００２２】
図３は、図１に示した無線基地局１におけるリソース管理テーブル６に格納されたデータの構成を示す図である。
【００２３】
図３に示すようにリソース管理テーブル６には、ベースバンド信号処理部４−１〜４−３に空きリソースがあるかどうかを示すデータが各ベースバンド信号処理部４−１〜４−３に対応付けられてそれぞれ格納されている。ここで、ベースバンド信号処理部４−１〜４−３を表すために、ベースバンド信号処理部４−１〜４−３に固有の識別情報が付加され、付加された識別情報と、その識別情報が付加されたベースバンド信号処理部４−１〜４−３に空きリソースがあるかどうかとが対応付けられて格納されているものとする。
【００２４】
図４は、図１に示した無線基地局１における共有テーブル７に格納されたデータの構成を示す図である。
【００２５】
図４に示すように共有テーブル７には、ベースバンド信号処理部４−１〜４−３の負荷状態情報であるトラヒック指数が各ベースバンド信号処理部４−１〜４−３に対応付けられてそれぞれ格納されている。ここでは、ベースバンド信号処理部４−１のトラヒック指数は「β」であり、また、ベースバンド信号処理部４−２のトラヒック指数は「α」であり、また、ベースバンド信号処理部４−３のトラヒック指数は「γ」である。なお、「α」〜「γ」のレベルの状態の定義については、上述したようにトラヒック指数テーブル５に格納されている。また、図３に示したリソース管理テーブル６と同様に、ベースバンド信号処理部４−１〜４−３を表すために、ベースバンド信号処理部４−１〜４−３に固有の識別情報が付加され、付加された識別情報と、その識別情報が付加されたベースバンド信号処理部４−１〜４−３のトラヒック指数とが対応付けられて格納されているものとする。
【００２６】
以下に、上記のように構成された無線基地局１におけるベースバンド信号処理割り当て方法について説明する。
【００２７】
図５〜図１０は、図１に示した無線基地局１におけるベースバンド信号処理割り当て方法を説明するためのシーケンス図である。
【００２８】
まず、無線基地局１に接続された無線基地局制御装置等の上位装置（不図示）から呼処理監視制御部２へベースバンド信号処理が要求されると（ステップＳ１）、呼処理監視制御部２のリソース管理割り当て部２１によってトラヒック指数テーブル５が参照され、トラヒック指数テーブル５に予め設定されたトラヒック指数の定義が認識される（ステップＳ２）。ここでは、図２に示したように、「α」、「β」及び「γ」であるそれぞれのトラヒック指数の定義が認識されることとなる。
【００２９】
その後、呼処理監視制御部２のリソース管理割り当て部２１によってリソース管理テーブル６が参照される（ステップＳ３）。まずは、ベースバンド信号処理部４−１〜４−３のいずれかに空きリソースがあるかどうかが判断され（ステップＳ４）、いずれのベースバンド信号処理部４−１〜４−３にも空きリソースが無いと判断された場合、呼処理監視制御部２から上位装置へベースバンド信号処理が不可能である旨が通知される（ステップＳ５）。通知するタイミングについては、空きリソースが無いと判断された直後の即時通知であっても良いし、タイマ及び保護段数を設けて、一定の時間毎に判断を行い、予め決められた連続した回数にて空きリソースが無いと判断された際に通知が行われるものであっても良い。
【００３０】
一方、ベースバンド信号処理部４−１〜４−３のいずれかに空きリソースがあると判断された場合は、ベースバンド信号処理部４−１に空きリソースがあるかどうかが参照される（ステップＳ６）。
【００３１】
リソース管理テーブル６に、ベースバンド信号処理部４−１に空きリソースが無い旨を示すデータが格納されている場合、処理Ａに進む。
【００３２】
一方、リソース管理テーブル６に、ベースバンド信号処理部４−１に空きリソースがある旨を示すデータが格納されている場合は、呼処理監視制御部２の状態監視部２２によって共有テーブル７が参照され（ステップＳ７）、共有テーブル７に格納されたベースバンド信号処理部４−１のトラヒック指数が参照される（ステップＳ８）。
【００３３】
参照されたベースバンド信号処理部４−１のトラヒック指数が、かかる負荷が一番低いレベルであると定義されているトラヒック指数である「α」ではない場合、処理Ａに進む。
【００３４】
一方、ベースバンド信号処理部４−１のトラヒック指数が「α」である場合は、呼処理監視制御部２のリソース管理割り当て部２１によって、そのベースバンド信号処理がベースバンド信号処理部４−１に割り当てられ（ステップＳ９）、ベースバンド信号処理部４−１の信号処理部４２−１にてそのベースバンド信号処理が行われる（ステップＳ１０）。そして、ベースバンド信号処理が行われることにより、ベースバンド信号処理部４−１におけるＣＰＵの使用率が変化するため、ベースバンド信号処理部４−１のトラヒック指数計算通知部４１−１にてＣＰＵの使用率が計算され（ステップＳ１１）、計算された使用率に応じたトラヒック指数が、トラヒック指数テーブル５がトラヒック指数計算通知部４１−１によって参照されることにより取得される（ステップＳ１２）。
【００３５】
その後、ベースバンド信号処理部４−１のトラヒック指数計算通知部４１−１にて取得されたトラヒック指数は、保守監視制御部３へ通知され（ステップＳ１３）、通知されたトラヒック指数が、保守監視制御部３のトラヒック指数監視制御部３１によって共有テーブル７に書き込まれることにより、共有テーブル７が更新される（ステップＳ１４）。なお、共有テーブル７に格納されたトラヒック指数が「γ」に更新された場合、トラヒック指数監視制御部３１から状態監視部２２へその旨が通知され、リソース管理割り当て部２１によってリソース管理テーブル６内にベースバンド信号処理部４−１に空きリソースが無い旨を示すデータが格納される。
【００３６】
また、ステップＳ６及びステップＳ８にて処理Ａへ進むと、呼処理監視制御部２のリソース管理割り当て部２１によってリソース管理テーブル６が再度参照され（ステップＳ１５）、ベースバンド信号処理部４−２に空きリソースがあるかどうかが参照される（ステップＳ１６）。
【００３７】
リソース管理テーブル６に、ベースバンド信号処理部４−２に空きリソースが無い旨を示すデータが格納されている場合、処理Ｂに進む。
【００３８】
一方、リソース管理テーブル６に、ベースバンド信号処理部４−２に空きリソースがある旨を示すデータが格納されている場合は、呼処理監視制御部２の状態監視部２２によって共有テーブル７が参照され（ステップＳ１７）、共有テーブル７に格納されたベースバンド信号処理部４−２のトラヒック指数が参照される（ステップＳ１８）。
【００３９】
参照されたベースバンド信号処理部４−２のトラヒック指数が、かかる負荷が一番低いレベルであると定義されているトラヒック指数である「α」ではない場合、処理Ｂに進む。
【００４０】
一方、ベースバンド信号処理部４−２のトラヒック指数が「α」である場合は、呼処理監視制御部２のリソース管理割り当て部２１によって、そのベースバンド信号処理がベースバンド信号処理部４−２に割り当てられ（ステップＳ１９）、ベースバンド信号処理部４−２の信号処理部４２−２にてそのベースバンド信号処理が行われる（ステップＳ２０）。そして、ベースバンド信号処理が行われることにより、ベースバンド信号処理部４−２におけるＣＰＵの使用率が変化するため、ベースバンド信号処理部４−２のトラヒック指数計算通知部４１−２にてＣＰＵの使用率が計算され（ステップＳ２１）、計算された使用率に応じたトラヒック指数が、トラヒック指数テーブル５がトラヒック指数計算通知部４１−２によって参照されることにより取得される（ステップＳ２２）。
【００４１】
その後、ベースバンド信号処理部４−２のトラヒック指数計算通知部４１−２にて取得されたトラヒック指数は、保守監視制御部３へ通知され（ステップＳ２３）、通知されたトラヒック指数が、保守監視制御部３のトラヒック指数監視制御部３１によって共有テーブル７に書き込まれることにより、共有テーブル７が更新される（ステップＳ２４）。なお、共有テーブル７に格納されたトラヒック指数が「γ」に更新された場合、トラヒック指数監視制御部３１から状態監視部２２へその旨が通知され、リソース管理割り当て部２１によってリソース管理テーブル６内にベースバンド信号処理部４−２に空きリソースが無い旨を示すデータが格納される。
【００４２】
また、ステップＳ１６及びステップＳ１８にて処理Ｂへ進むと、呼処理監視制御部２のリソース管理割り当て部２１によってリソース管理テーブル６が再度参照され（ステップＳ２５）、ベースバンド信号処理部４−３に空きリソースがあるかどうかが参照される（ステップＳ２６）。
【００４３】
リソース管理テーブル６に、ベースバンド信号処理部４−３に空きリソースが無い旨を示すデータが格納されている場合、処理Ｃに進む。
【００４４】
一方、リソース管理テーブル６に、ベースバンド信号処理部４−３に空きリソースがある旨を示すデータが格納されている場合は、呼処理監視制御部２の状態監視部２２によって共有テーブル７が参照され（ステップＳ２７）、共有テーブル７に格納されたベースバンド信号処理部４−３のトラヒック指数が参照される（ステップＳ２８）。
【００４５】
参照されたベースバンド信号処理部４−３のトラヒック指数が、かかる負荷が一番低いレベルであると定義されているトラヒック指数である「α」ではない場合、処理Ｃに進む。
【００４６】
一方、ベースバンド信号処理部４−３のトラヒック指数が「α」である場合は、呼処理監視制御部２のリソース管理割り当て部２１によって、そのベースバンド信号処理がベースバンド信号処理部４−３に割り当てられ（ステップＳ２９）、ベースバンド信号処理部４−３の信号処理部４２−３にてそのベースバンド信号処理が行われる（ステップＳ３０）。そして、ベースバンド信号処理が行われることにより、ベースバンド信号処理部４−３におけるＣＰＵの使用率が変化するため、ベースバンド信号処理部４−３のトラヒック指数計算通知部４１−３にてＣＰＵの使用率が計算され（ステップＳ３１）、計算された使用率に応じたトラヒック指数が、トラヒック指数テーブル５がトラヒック指数計算通知部４１−３によって参照されることにより取得される（ステップＳ３２）。
【００４７】
その後、ベースバンド信号処理部４−３のトラヒック指数計算通知部４１−３にて取得されたトラヒック指数は、保守監視制御部３へ通知され（ステップＳ３３）、通知されたトラヒック指数が、保守監視制御部３のトラヒック指数監視制御部３１によって共有テーブル７に書き込まれることにより、共有テーブル７が更新される（ステップＳ３４）。なお、共有テーブル７に格納されたトラヒック指数が「γ」に更新された場合、トラヒック指数監視制御部３１から状態監視部２２へその旨が通知され、リソース管理割り当て部２１によってリソース管理テーブル６内にベースバンド信号処理部４−３に空きリソースが無い旨を示すデータが格納される。
【００４８】
また、ステップＳ２６及びステップＳ２８にて処理Ｃへ進むと、呼処理監視制御部２のリソース管理割り当て部２１によってリソース管理テーブル６が再度参照され（ステップＳ３５）、ベースバンド信号処理部４−１に空きリソースがあるかどうかが参照される（ステップＳ３６）。
【００４９】
リソース管理テーブル６に、ベースバンド信号処理部４−１に空きリソースが無い旨を示すデータが格納されている場合、処理Ｄに進む。
【００５０】
一方、リソース管理テーブル６に、ベースバンド信号処理部４−１に空きリソースがある旨を示すデータが格納されている場合は、ベースバンド信号処理部４−１のトラヒック指数が「α」ではないことがステップＳ８にて判断されているため、ベースバンド信号処理部４−１のトラヒック指数が、かかる負荷が「α」の次に低いレベルであると定義されているトラヒック指数である「β」であると判断され、呼処理監視制御部２のリソース管理割り当て部２１によって、そのベースバンド信号処理がベースバンド信号処理部４−１に割り当てられ（ステップＳ３７）、ベースバンド信号処理部４−１の信号処理部４２−１にてそのベースバンド信号処理が行われる（ステップＳ３８）。そして、ベースバンド信号処理が行われることにより、ベースバンド信号処理部４−１におけるＣＰＵの使用率が変化するため、ベースバンド信号処理部４−１のトラヒック指数計算通知部４１−１にてＣＰＵの使用率が計算され（ステップＳ３９）、計算された使用率に応じたトラヒック指数が、トラヒック指数テーブル５がトラヒック指数計算通知部４１−１によって参照されることにより取得される（ステップＳ４０）。
【００５１】
その後、ベースバンド信号処理部４−１のトラヒック指数計算通知部４１−１にて取得されたトラヒック指数は、保守監視制御部３へ通知され（ステップＳ４１）、通知されたトラヒック指数が、保守監視制御部３のトラヒック指数監視制御部３１によって共有テーブル７に書き込まれることにより、共有テーブル７が更新される（ステップＳ４２）。なお、共有テーブル７に格納されたトラヒック指数が「γ」に更新された場合、トラヒック指数監視制御部３１から状態監視部２２へその旨が通知され、リソース管理割り当て部２１によってリソース管理テーブル６内にベースバンド信号処理部４−１に空きリソースが無い旨を示すデータが格納される。
【００５２】
また、ステップＳ３６にて処理Ｄへ進むと、呼処理監視制御部２のリソース管理割り当て部２１によってリソース管理テーブル６が再度参照され（ステップＳ４３）、ベースバンド信号処理部４−２に空きリソースがあるかどうかが参照される（ステップＳ４４）。
【００５３】
リソース管理テーブル６に、ベースバンド信号処理部４−２に空きリソースが無い旨を示すデータが格納されている場合、処理Ｅに進む。
【００５４】
一方、リソース管理テーブル６に、ベースバンド信号処理部４−２に空きリソースがある旨を示すデータが格納されている場合は、ベースバンド信号処理部４−２のトラヒック指数が「α」ではないことがステップＳ１８にて判断されているため、ベースバンド信号処理部４−２のトラヒック指数が、かかる負荷が「α」の次に低いレベルであると定義されているトラヒック指数である「β」であると判断され、呼処理監視制御部２のリソース管理割り当て部２１によって、そのベースバンド信号処理がベースバンド信号処理部４−２に割り当てられ（ステップＳ４５）、ベースバンド信号処理部４−２の信号処理部４２−２にてそのベースバンド信号処理が行われる（ステップＳ４６）。そして、ベースバンド信号処理が行われることにより、ベースバンド信号処理部４−２におけるＣＰＵの使用率が変化するため、ベースバンド信号処理部４−２のトラヒック指数計算通知部４１−２にてＣＰＵの使用率が計算され（ステップＳ４７）、計算された使用率に応じたトラヒック指数が、トラヒック指数テーブル５がトラヒック指数計算通知部４１−２によって参照されることにより取得される（ステップＳ４８）。
【００５５】
その後、ベースバンド信号処理部４−２のトラヒック指数計算通知部４１−２にて取得されたトラヒック指数は、保守監視制御部３へ通知され（ステップＳ４９）、通知されたトラヒック指数が、保守監視制御部３のトラヒック指数監視制御部３１によって共有テーブル７に書き込まれることにより、共有テーブル７が更新される（ステップＳ５０）。なお、共有テーブル７に格納されたトラヒック指数が「γ」に更新された場合、トラヒック指数監視制御部３１から状態監視部２２へその旨が通知され、リソース管理割り当て部２１によってリソース管理テーブル６内にベースバンド信号処理部４−２に空きリソースが無い旨を示すデータが格納される。
【００５６】
また、ステップＳ４４にて処理Ｅへ進むと、ベースバンド信号処理部４−３のトラヒック指数が「α」ではないことがステップＳ２８にて判断されているため、ベースバンド信号処理部４−３のトラヒック指数が、かかる負荷が「α」の次に低いレベルであると定義されているトラヒック指数である「β」であると判断され、呼処理監視制御部２のリソース管理割り当て部２１によって、そのベースバンド信号処理がベースバンド信号処理部４−３に割り当てられ（ステップＳ５１）、ベースバンド信号処理部４−３の信号処理部４２−３にてそのベースバンド信号処理が行われる（ステップＳ５２）。そして、ベースバンド信号処理が行われることにより、ベースバンド信号処理部４−３におけるＣＰＵの使用率が変化するため、ベースバンド信号処理部４−３のトラヒック指数計算通知部４１−３にてＣＰＵの使用率が計算され（ステップＳ５３）、計算された使用率に応じたトラヒック指数が、トラヒック指数テーブル５がトラヒック指数計算通知部４１−３によって参照されることにより取得される（ステップＳ５４）。
【００５７】
その後、ベースバンド信号処理部４−３のトラヒック指数計算通知部４１−３にて取得されたトラヒック指数は、保守監視制御部３へ通知され（ステップＳ５５）、通知されたトラヒック指数が、保守監視制御部３のトラヒック指数監視制御部３１によって共有テーブル７に書き込まれることにより、共有テーブル７が更新される（ステップＳ５６）。なお、共有テーブル７に格納されたトラヒック指数が「γ」に更新された場合、トラヒック指数監視制御部３１から状態監視部２２へその旨が通知され、リソース管理割り当て部２１によってリソース管理テーブル６内にベースバンド信号処理部４−３に空きリソースが無い旨を示すデータが格納される。
【００５８】
このように、かかる負荷が低いレベルであると定義されているトラヒック指数であるベースバンド信号処理部４−１〜４−３から優先的に当該ベースバンド信号処理が割り当てられる。
【００５９】
なお、トラヒック指数がベースバンド信号処理部４−１〜４−３のトラヒック指数計算通知部４１−１〜４１−３から保守監視制御部３へ通知される契機は、トラヒック指数が現在のトラヒック指数から他のトラヒック指数へ遷移したときである。
【００６０】
また、トラヒック指数テーブル５にベースバンド信号処理部４−１〜４−３にかかる負荷の状態に応じたトラヒック指数が予め設定されるのは、呼処理監視制御部２のリソース管理割り当て部２１によるものであっても良いし、ベースバンド信号処理部４−１〜４−３によるものであっても良い。
【００６１】
また、ベースバンド信号処理部４−１〜４−３にてベースバンド信号処理を行い、ＣＰＵの使用率が高くなることにより、ベースバンド信号処理部４−１〜４−３のトラヒック指数が「γ」となり、空きリソースが無くなった際、トラヒック指数が「α」であるベースバンド信号処理部４−１〜４−３が状態監視部２２によって検索され、トラヒック指数が「α」であるベースバンド信号処理部４−１〜４−３が存在する場合、トラヒック指数が「α」であるベースバンド信号処理部４−１〜４−３へ当該ベースバンド信号処理が追い出され、また、トラヒック指数が「α」であるベースバンド信号処理部４−１〜４−３が存在しない場合は、トラヒック指数が「β」であるベースバンド信号処理部４−１〜４−３へ当該ベースバンド信号処理が追い出される制御が行われても良い。これにより、処理の分散が行われるため、ベースバンド信号処理部４−１〜４−３のリソースが有効に利用できる。
【００６２】
また、上述した例では、トラヒック指数がＣＰＵの使用率に応じて定義されたものにおいて説明したが、接続される呼数や通信速度等のベースバンド信号処理部４−１〜４−３にかかる負荷が識別できるものに応じて定義されるものであっても良い。
【００６３】
また、上述した例では、トラヒック指数が３つのレベルに設定されているが、設定されるレベル数については規定しない。
【００６４】
また、ベースバンド信号処理部４−１〜４−３の数についても規定しない。
【図面の簡単な説明】
【００６５】
【図１】本発明の無線基地局の実施の一形態を示す図である。
【図２】図１に示した無線基地局におけるトラヒック指数テーブルに格納されたデータの構成を示す図である。
【図３】図１に示した無線基地局におけるリソース管理テーブルに格納されたデータの構成を示す図である。
【図４】図１に示した無線基地局における共有テーブルに格納されたデータの構成を示す図である。
【図５】図１に示した無線基地局におけるベースバンド信号処理割り当て方法を説明するためのシーケンス図である。
【図６】図１に示した無線基地局におけるベースバンド信号処理割り当て方法を説明するためのシーケンス図である。
【図７】図１に示した無線基地局におけるベースバンド信号処理割り当て方法を説明するためのシーケンス図である。
【図８】図１に示した無線基地局におけるベースバンド信号処理割り当て方法を説明するためのシーケンス図である。
【図９】図１に示した無線基地局におけるベースバンド信号処理割り当て方法を説明するためのシーケンス図である。
【図１０】図１に示した無線基地局におけるベースバンド信号処理割り当て方法を説明するためのシーケンス図である。
【符号の説明】
【００６６】
１    無線基地局
２    呼処理監視制御部
３    保守監視制御部
４−１〜４−３    ベースバンド信号処理部
５    トラヒック指数テーブル
６    リソース管理テーブル
７    共有テーブル
２１    リソース管理割り当て部
２２    状態監視部
３１    トラヒック指数監視制御部
４１−１〜４１−３    トラヒック指数計算通知部
４２−１〜４２−３    信号処理部
【図１】
2007019724.tif 000003
【図２】
2007019724.tif 000004
【図３】
2007019724.tif 000005
【図４】
2007019724.tif 000006
【図５】
2007019724.tif 000007
【図６】
2007019724.tif 000008
【図７】
2007019724.tif 000009
【図８】
2007019724.tif 000010
【図９】
2007019724.tif 000011
【図１０】
2007019724.tif 000012